(57)【要約】【課題】各種小物ないしは薄物商品の包装容器として使用可能で、本来の特定用途の包装容器としての使用終了後も、好みに応じた収納容器として継続使用可能な汎用性に富む多目的収納用品を提供する。【解決手段】印刷処理が可能な表裏面３ａ、３ｂを有するとともに、表裏両面３ａ、３ｂ側への折曲組立が可能な単一薄板材からなり、この薄板材は、同一方向に連続形成された３つの矩形の単位区画部５、６、７を備え、これら単位区画部の一つ５に、左右一対の組立用片が設けられるとともに、隣接する他の単位区画部の一つ６に、上記組立用片を挿入係止する一対の係止切込みが設けられてなり、上記組立用片を有する単位区画部５と上記係止切込みを有する単位区画部６との境界線Ｌ56に沿って折り曲げられるとともに、上記組立用片が上記係止切込みに挿入係止されることで、収納ポケット部２が形成される。【選択図】図１
2015074476.tif 000002
【特許請求の範囲】
【請求項１】
収納ポケット部を基本構造として備える多目的収納用品であって、
印刷処理が可能な表裏面を有するとともに、これら表裏両面側への折曲組立が可能な単一の薄板材からなり、
この薄板材は、同一方向に連続して形成された少なくとも３つの矩形の単位区画部を備え、
前記単位区画部の一つに、左右一対の組立用片が設けられるとともに、隣接する他の単位区画部の一つに、前記組立用片を挿入係止する一対の係止切込みが設けられてなり、
前記組立用片を有する単位区画部と前記係止切込みを有する単位区画部との境界線に沿って折り曲げられるとともに、前記組立用片が前記係止切込みに挿入係止されることにより、前記収納ポケット部が形成される
ことを特徴とする多目的収納用品。
【請求項２】
前記薄板材は、同一方向に連続して形成された少なくとも３つの矩形の単位区画部を備えるとともに、その表裏面が選択的に表面とされる得る第一表面と第二表面とされ、
前記薄板材の連続する３つの単位区画部のうち、中央に位置する単位区画部が折曲組立時の基準となる基準区画部とされ、
この基準区画部の左右対称位置に、前記一対の係止切込みが設けられるとともに、前記基準区画部に隣接する一方の第一区画部の左右両辺部に、前記一対の係止切込みに挿入係止する前記一対の組立用片が設けられ、
前記第一区画部が、前記基準区画部との境界線に沿って前記第一表面または第二表面側へ折り曲げられるとともに、この第一区画部の組立用片が前記基準区画部の係止切込みにそれぞれ挿入係止されることにより、前記収納ポケット部が形成される
ことを特徴とする請求項１に記載の多目的収納用品。
【請求項３】
前記基準区画部に隣接する他方の第二区画部は、前記基準区画部との境界線に沿って第一表面または第二表面側へ折り曲げられることにより、前記収納ポケット部の開閉可能な蓋体として機能する
ことを特徴とする請求項２に記載の多目的収納用品。
【請求項４】
前記基準区画部に隣接する他方の第二区画部は、前記基準区画部との境界線にミシン目が設けられて、基準区画部に対して破断分離可能な接続構造とされている
ことを特徴とする請求項２に記載の多目的収納用品。
【請求項５】
前記基準区画部に隣接する他方の第二区画部が、前記基準区画部との境界線に沿って前記第一表面または第二表面側へ折り曲げられて、これら両区画部に挟まれる空間に補助的収納部が設けられ、
前記第一区画部が、前記基準区画部との境界線に沿って第二表面または第一表面側へ折り曲げられるとともに、この第一区画部の組立用片が前記基準区画部の係止切込みにそれぞれ挿入係止されることにより、前記収納ポケット部が形成される
ことを特徴とする請求項２に記載の多目的収納用品。
【請求項６】
前記第一区画部の左右両辺部に設けられる前記一対の組立用片は、その先端部分が前記基準区画部の係止切込みに挿入係止可能な形状寸法を有する挿入係止部とされるとともに、その基端側部分が前記第一区画部の左右両辺部の両端に接続する両辺部を有し、
これら組立用片の両基端部は、収納用品の組立完成時において、前記収納ポケット部の左右両側を閉塞する閉塞部として機能する
ことを特徴とする請求項２に記載の多目的収納用品。
【請求項７】
前記基準区画部の左右両辺部に、前記収納ポケット部の左右側部を閉塞する補助片が設けられている
ことを特徴とする請求項２に記載の多目的収納用品。
【請求項８】
前記第一区画部における前記収納ポケット部の開口縁部が開口凹部の形態とされている
ことを特徴とする請求項２に記載の多目的収納用品。
【請求項９】
前記薄板材は、同一方向に連続して形成された４つの矩形の単位区画部を備え、
前記基準区画部に隣接する他方の第二区画部に隣接して第三区画部が連続して形成され、
この第三区画部は、前記第二区画部との境界線にミシン目が設けられて、第二区画部に対して破断分離可能な接続構造とされている
ことを特徴とする請求項２に記載の多目的収納用品。
【発明の詳細な説明】
【技術分野】
【０００１】
本発明は多目的収納用品に関し、さらに詳細には、例えば、各種ノベルティ等の販促品の包装容器、各種乗車券や入場券等のキップ入れ、ホテル等のカードキー入れ、あるいは絵葉書や観光マップ等の小物ないしは薄物商品の包装容器などとして好適に使用可能な汎用性に富む収納用品に関する。
【背景技術】
【０００２】
各種商品の販売において、商品の宣伝を目的として無料配布されるノベルティ（novelty）など、新商品の認知度向上や
1381356199629_0
購入意欲促進の目的で配付される販促品を添付する販売形態が広く採られている。
【０００３】
このような販促品は一般に包装容器に入れて各種商品に添付されることが多く、この目的のため種々の包装容器が提案されている（例えば、特許文献１〜３参照。）。
【０００４】
また、鉄道の切符売り場や旅行代理店等で販売される各種乗車券や入場券等は、矩形状の紙製キップ入れ等の包装容器に入れて販売される。
【先行技術文献】
【特許文献】
【０００５】
【特許文献１】特開２０１０−１００３０５号公報
【特許文献２】特開２０１１−１１６４３１号公報
【特許文献３】特開２０１３−１５１２９３号公報
【発明の開示】
【発明が解決しようとする課題】
【０００６】
ところで、特許文献１〜３に記載される販促品用の包装容器は、添付対象となる飲料容器や調味料、化粧品、医薬品などの容器として用いられているペットボトルに取り付けるための取付け構造を備えるなど、添付対象専用の構造とされていて、その用途が狭い。また、販促品が消費者の手に渡った後は、包装品である販促品を取り出した後の包装容器の使い道がなく、結局、そのまま廃棄されてしまうのが一般で、非常に不経済である。
【０００７】
また、各種乗車券や入場券等を入れる切符入れ等も、紙製で強度が弱く、通常は、内容物である乗車券等を使用した後は乗車券等と共に廃棄されるのが一般である。
【０００８】
本発明は、かかる従来の問題点に鑑みてなされたものであって、その目的とするところは、各種ノベルティ等の販促品の包装容器や各種乗車券や入場券等のキップ入れとしてはもちろんのこと、ホテル等のカードキー入れ、あるいは絵葉書や観光マップ等の小物ないしは薄物商品の包装容器などとしても広く使用可能で、しかも、本来の特定用途の包装容器としての使用が終了した後も、好みに応じた収納容器として継続使用可能な構造を備えた、汎用性に富む多目的収納用品を提供することにある。
【課題を解決するための手段】
【０００９】
上記目的を達成するため、本発明の多目的収納用品は、収納ポケット部を基本構造として備えるものであって、印刷処理が可能な表裏面を有するとともに、これら表裏両面側への折曲組立が可能な単一の薄板材からなり、この薄板材は、同一方向に連続して形成された少なくとも３つの矩形の単位区画部を備え、上記単位区画部の一つに、左右一対の組立用片が設けられるとともに、隣接する他の単位区画部の一つに、上記組立用片を挿入係止する一対の係止切込みが設けられてなり、上記組立用片を有する単位区画部と上記係止切込みを有する単位区画部との境界線に沿って折り曲げられるとともに、上記組立用片が上記係止切込みに挿入係止されることにより、上記収納ポケット部が形成されることを特徴とする。
【００１０】
好適な実施態様として、以下の構成が採用される。
（１）上記薄板材は、同一方向に連続して形成された少なくとも３つの矩形の単位区画部を備えるとともに、その表裏面が選択的に表面とされる得る第一表面と第二表面とされ、上記薄板材の連続する３つの単位区画部のうち、中央に位置する単位区画部が折曲組立時の基準となる基準区画部とされ、この基準区画部の左右対称位置に、上記一対の係止切込みが設けられるとともに、上記基準区画部に隣接する一方の第一区画部の左右両辺部に、上記一対の係止切込みに挿入係止する上記一対の組立用片が設けられ、上記第一区画部が、上記基準区画部との境界線に沿って上記第一表面または第二表面側へ折り曲げられるとともに、この第一区画部の組立用片が上記基準区画部の係止切込みにそれぞれ挿入係止されることにより、上記収納ポケット部が形成される。
【００１１】
（２）上記基準区画部に隣接する他方の第二区画部は、上記基準区画部との境界線に沿って第一表面または第二表面側へ折り曲げられることにより、上記収納ポケット部の開閉可能な蓋体として機能する。
【００１２】
（３）上記基準区画部に隣接する他方の第二区画部は、上記基準区画部との境界線にミシン目が設けられて、基準区画部に対して破断分離可能な接続構造とされている。
【００１３】
（４）上記基準区画部に隣接する他方の第二区画部が、上記基準区画部との境界線に沿って上記第一表面または第二表面側へ折り曲げられて、これら両区画部に挟まれる空間に補助的収納部が設けられ、上記第一区画部が、上記基準区画部との境界線に沿って第二表面または第一表面側へ折り曲げられるとともに、この第一区画部の組立用片が上記基準区画部の係止切込みにそれぞれ挿入係止されることにより、上記収納ポケット部が形成される。
【００１４】
（５）上記第一区画部の左右両辺部に設けられる上記一対の組立用片は、その先端部分が上記基準区画部の係止切込みに挿入係止可能な形状寸法を有する挿入係止部とされるとともに、その基端側部分が上記第一区画部の左右両辺部の両端に接続する両辺部を有し、これら組立用片の両基端部は、収納用品の組立完成時において、上記収納ポケット部の左右両側を閉塞する閉塞部として機能する
【００１５】
（６）上記基準区画部の左右両辺部に、上記収納ポケット部の左右側部を閉塞する補助片が設けられている。
【００１６】
（７）上記第一区画部における上記収納ポケット部の開口縁部が開口凹部の形態とされている。
【００１７】
（８）上記薄板材は、同一方向に連続して形成された４つの矩形の単位区画部を備え、上記基準区画部に隣接する他方の第二区画部に隣接して第三区画部が連続して形成され、この第三区画部は、上記第二区画部との境界線にミシン目が設けられて、第二区画部に対して破断分離可能な接続構造とされている。
【発明の効果】
【００１８】
本発明の多目的収納用品によれば、収納ポケット部を基本構造として備えるものであって、印刷処理が可能な表裏面を有するとともに、これら表裏両面側への折曲組立が可能な単一の薄板材からなり、この薄板材は、同一方向に連続して形成された少なくとも３つの矩形の単位区画部を備え、上記単位区画部の一つに、左右一対の組立用片が設けられるとともに、隣接する他の単位区画部の一つに、上記組立用片を挿入係止する一対の係止切込みが設けられてなり、上記組立用片を有する単位区画部と上記係止切込みを有する単位区画部との境界線に沿って折り曲げられるとともに、上記組立用片が上記係止切込みに挿入係止されることにより、上記収納ポケット部が形成されるから、以下に列挙するような特有の優れた効果が有効に発揮されて、各種ノベルティ等の販促品の包装容器や各種乗車券や入場券等のキップ入れとしてはもちろんのこと、ホテル等のカードキー入れ、あるいは絵葉書や観光マップ等の薄物商品の包装容器などとしても広く使用可能で、しかも本来の特定用途の包装容器としての使用が終了した後も、好みに応じた収納容器として継続使用可能な汎用性に富む多目的収納用品を提供することができる。
【００１９】
（ａ）印刷処理が可能な表裏面を有するとともに、これら表裏両面側への折曲組立が可能な単一の薄板材からなる収納用品であるから、リバーシブルな使用が可能である（両面兼用）。
【００２０】
例えば、本収納用品が各種ノベルティ等の販促品の包装容器や各種乗車券や入場券等のキップ入れなどに商業的に使用される場合、上記表裏面の一方に、企業名や商品のブランド名が入った商業的デザインが印刷されるとともに、他方に一般的な色彩やデザインが印刷されていることにより、当初は、商業的デザインの収納用品を商業的に包装容器として使用される（一次的使用）一方、消費者等の末端ユーザに渡った後は末端ユーザの好みにより、商業的デザインのままの収納用品として、または一般的な色彩やデザインの収納用品として使用される（二次的使用）ことが可能である。これにより、商業的使用の後に廃棄されるのが一般であった従来の収納用品に比較して、商業的使用の役目を終えた後も、個人的・私的な二次的な使用が可能である。
【００２１】
（ｂ）上記薄板材は、同一方向に連続して形成された少なくとも３つの矩形の単位区画部を備え、折曲組立した状態では、収納ポケット部を基本構造として備える収納用品であるから、封筒等と同様な矩形の収納用品として用途が特定ないし限定されることはなく、例えば、上述したように各種ノベルティ等の販促品の包装容器や各種乗車券や入場券等のキップ入れなどとして広く多種多様な用途に使用でき、汎用性に富む。
【００２２】
（ｃ）薄板材の形状寸法を設定調整することにより、組立完成品である収納用品の形状寸法は用途・目的に応じて任意に設定可能であり、例えば、いわゆる名刺サイズの小さなものから、日本工業規格Ｂ列４版サイズの大きなものまで、また、上下・左右のサイズも任意に設定可能である。
【００２３】
（ｄ）上記薄板材は、同一方向に連続して形成された３つの矩形の単位区画部のうち、例えば、中央に位置する単位区画部である基準区画部と、この基準区画部に隣接する一方の第一区画部とにより、基本構造としての収納ポケット部が形成されて、この収納ポケット部に、各種ノベルティ等の販促品、各種乗車券や入場券等のキップ類、あるいはホテル等のカードキーなどを入れる一方、上記基準区画部に隣接する残りの第二区画部は、上記収納ポケット部の開閉可能な蓋体として、または、上記基準区画部に対して破断分離可能な接続構造とされることにより、上記第二区画部を、ポストカード、チケット付きの販促チラシあるいは観光マップなどとして使用可能で、その用途は多種多様であり、汎用性に富む。
【００２４】
（ｅ）例えば、同一方向に連続して形成された４つの矩形の単位区画部を備え、上記基準区画部に隣接する他方の第二区画部に隣接して第三区画部が連続して形成され、この第三区画部は、第二区画部に対して破断分離可能な接続構造とされることにより、上記第二区画部が上記収納ポケット部の開閉可能な蓋体として機能するとともに、この第二区画部に破断分離可能に付加された第三区画部は、上記（ｆ）の第二区画部と同様に、ポストカード、チケット付きの販促チラシあるいは観光マップなどとして使用可能で、その用途は多種多様であり、汎用性に富む。
【図面の簡単な説明】
【００２５】
【図１】本発明の実施形態１である多目的収納用品の組立構成を示す斜視図で、図１（ａ）は第一の組立パターン、図１（ｂ）は第二の組立パターンをそれぞれ示す。
【図２】同多目的収納用品の展開構成を示す平面図である。
【図３】同多目的収納用品の第一の組立パターンの組立方法を示す斜視図である。
【図４】同多目的収納用品の第二の組立パターンの組立方法を示す斜視図である。
【図５】本発明の実施形態２である多目的収納用品の組立構成を示す斜視図である。
【図６】同多目的収納用品の展開構成を示す平面図である。
【発明を実施するための形態】
【００２６】
以下、本発明の実施形態を図面に基づいて詳細に説明する。なお、図面全体にわたって同一の符号は同一の構成部材または要素を示している。
【００２７】
実施形態１
本発明に係る多目的収納用品１が図１〜図４に示されており、この収納用品１は、具体的には、収納ポケット部２を基本構造として備えるものであって、図２に示すような単一の薄板材３からなる折曲組立品である。図示の実施形態の収納用品１は、図１（ａ）および（ｂ）に示すように、二通りの組立パターン１Ａおよび１Ｂが選択的に採用され得る構造を備える。これら組立パターン１Ａおよび１Ｂの具体的な組立方法は後述する。
【００２８】
薄板材３は、印刷処理が可能な表裏面３ａ、３ｂを有するとともに、これら表裏両面３ａ、３ｂ側への折曲組立が可能な構造を備える。
【００２９】
薄板材３の構成材料としては、表面への印刷処理が可能で、かつ折曲組立が可能な材料が採用され、紙またはポリプロピレン（ＰＰ）、ポリエチレンテレフタラート（ＰＥＴ）、ポリ塩化ビニル（ＰＶＣ）等のプラスチックが好適に使用される。図示の実施形態の薄板材３は紙製の板材が用いられる。
【００３０】
また、薄板材３の板厚は、例えば、商業的使用としての一次使用に引き続いて、消費者等の末端ユーザによる個人的な二次使用にも耐え得る、つまり二段階の長期にわたる使用にも耐え得る強度が確保されるように設定され、使用する材料と組立完成品としての収納用品１の形状寸法に応じて設定される。
【００３１】
図示の実施形態の薄板材３は紙製板材であることから、官製はがきの厚さ程度かそれ以上の板厚に設定されるのが望ましく、具体的には１３．５ｍｍ〜２３．５ｍｍに設定される。図示の実施形態においては、収納用品１の矩形輪郭の形状寸法が官製はがきと同程度に設定されていることから、薄板材３の板厚も官製はがきと同程度の厚さに設定されている。
【００３２】
さらに、薄板材３の形状寸法は、組立完成品である収納用品１の矩形輪郭の形状寸法に対応して設定され、収納用品１の矩形輪郭の形状寸法は、後述する薄板材３を構成する単位区画部５、６、７の矩形輪郭寸法によって決定される。
【００３３】
換言すれば、薄板材３の形状寸法を設定調整することにより、組立完成品である収納用品１の形状寸法は用途・目的に応じて任意に設定される。具体的には、薄板材３の形状寸法は、いわゆる名刺サイズ程度の小さなものから、日本工業規格Ｂ列４版サイズ程度の大きなものまで、また、上下・左右のサイズも、用途・目的に応じて任意に設定される。
【００３４】
薄板材３の具体的構成は、図２に示すように、同一方向に連続して形成された少なくとも３つの矩形の単位区画部５、６、７を備え、上記単位区画部５、６、７の一つの単位区画部５に、左右一対の組立用片１０、１１が設けられるとともに、隣接する他の単位区画部５、６、７の一つの単位区画部６に、上記組立用片１０、１１を挿入係止する一対の係止切込み１５、１６が設けられてなる。
【００３５】
図示の実施形態の薄板材３は、同一方向に連続して形成された３つの矩形の単位区画部５、６、７を備えるとともに、その表裏面３ａ、３ｂが選択的に表面とされる得る第一表面と第二表面とされている。
【００３６】
また、上記薄板材３の連続する３つの単位区画部５、６、７のうち、中央に位置する単位区画部６が折曲組立時の基準となる基準区画部とされるとともに、その両側に隣接する単位区画部５および７が、それぞれ第一区画部および第二区画部とされ、上記基準区画部６と第一区画部５により収納ポケット部２が形成される。
【００３７】
上記基準区画部６の左右対称位置に、上記一対の係止切込み１５、１６が設けられるとともに、上記第一区画部５の左右両辺部５ａ、５ｂに、上記一対の組立用片１０、１１が設けられ、これら一対の組立用片１０、１１が上記一対の係止切込み１５、１６にそれぞれ挿入係止する構成とされている。
【００３８】
上記一対の組立用片１０、１１の先端部分１７、１８は、具体的には、上記基準区画部６の係止切込み１５、１６に挿入係止可能な形状寸法を有する挿入係止部とされている。図示の実施形態においては、上記係止切込み１５、１６が図示のごとく直線状スリットの形態とされるとともに、上記組立用片１０、１１の先端部分１７、１８は図示のごとく半円弧状の輪郭形状とされて、上記係止切込み１５、１６に対する挿入が円滑に行われるように構成されている。
【００３９】
組立用片１０、１１の基端側部分１９、２０は、上記先端部分１７、１８の基端から上記第一区画部５の左右両辺部５ａ、５ｂの両端に接続する直線状の両辺部１９ａ、１９ａ、２０ａ、２０ａを有する。これにより、組立用片１０、１１の両基端部１０ａ、１１ａは、収納用品１の組立完成時において、上記収納ポケット部２の左右両側を閉塞する閉塞部としての機能と、この部位の補強機能を兼備する。
【００４０】
また、上記第一区画部５における上記収納ポケット部２の開口縁部５ａが開口凹部の形態とされて、収納ポケット部２に対する収納品Ｓの挿入、取出しを容易にしている。
【００４１】
また、上記基準区画部６の左右両辺部６ａ、６ｂには、上記収納ポケット部２の左右側部を閉塞する補助片２１、２２が設けられており、これら補助片２１、２２は、収納用品１の組立完成時において、上記組立用片１０、１１の両基端部１０ａ、１１ａと協働して、上記収納ポケット部２の左右両側を閉塞する閉塞部としての機能と、この部位の補強機能を兼備する。
【００４２】
収納ポケット部２を形成する基準区画部６および第一区画部５に対して、基準区画部６に隣接する残りの第二区画部７は、後述する組立パターン１Ａ（図１（ａ）参照）において二通りの使用態様がある。
【００４３】
すなわち、第二区画部７の第一の使用態様は、図１に実線で示されるように、基準区画部６との境界線Ｌ67に沿って第一表面３ａまたは第二表面３ｂ側へ折り曲げられることにより、上記収納ポケット部２の開閉可能な蓋体として機能する使用態様である。
【００４４】
また、第二区画部７の第一の使用態様は、図１に仮想線７´で示すように、上記基準区画部６との境界線Ｌ67にミシン目（図示省略）が設けられて、基準区画部６に対して破断分離可能な接続構造とされた使用態様である。
【００４５】
図示の実施形態の第二区画部７は、後述するように、第一の使用態様である収納ポケット部２の蓋体として機能する。
【００４６】
また、薄板材３の表裏面３ａ、３ｂに印刷されるデザインは、用途・目的に応じて設定され、換言すれば、このデザイン設定により、収納用品１の多種多様な用途が実現する。
【００４７】
例えば、本収納用品１が各種ノベルティ等の販促品の包装容器や各種乗車券や入場券等のキップ入れなどに商業的に使用される場合、上記表裏面（第一表面および第二表面）３ａ、３ｂの一方、例えば第二表面３ｂに、企業名や商品のブランド名が入った商業的デザインが印刷されるとともに、他方、つまり第一表面３ａに、一般的な色彩やデザインが印刷される。これにより、当初の一次使用として、商業的デザインの収納用品１が商業的に包装容器として使用される一方、消費者等の末端ユーザに渡った後は、二次使用として、末端ユーザの好みにより、商業的デザインのままの収納用品として、または一般的な色彩やデザインの収納用品として使用されることが可能である。
【００４８】
以下に、一次使用のための商業的デザインの具体例を、収納用品１の表面側に第二表面３ｂを用いる場合、つまり図１に示す使用態様を例にとって説明する。
【００４９】
（１）テーマパーク：
例えば、架空のキャラクターや企業イメージなど、特定のテーマのサービスを提供するレジャー施設であるテーマパークにおいて、無料配布されるノベルティや有料販売される商品等の包装容器として本収納用品１が使用可能である。
【００５０】
このような使用態様においては、収納用品１の表面側となる第二表面３ｂ全体にテーマパークのシンボルデザインやロゴマークが印刷表示されるとともに、第二区画部７の第一表面３ａに、テーマパークの人気アトラクションや人気キャラクタの絵柄や写真が印刷表示される。
【００５１】
（２）プロスポーツ：
例えば、プロ野球、プロサッカー、プロゴルフ、大相撲などのプロスポーツにおいて、競技場等の売店や百貨店等で有料販売される人気選手等にちなんだ各種商品等の包装容器として本収納用品１が使用可能である。
【００５２】
このような使用態様においては、収納用品１の表面側となる第二表面３ｂ全体に特定の人気選手の所属するチームや団体・組織のシンボルデザインやロゴマークが印刷表示されるとともに、第二区画部７の第一表面３ａに、特定の人気選手の写真等が印刷表示される。
【００５３】
（３）金融機関：
例えば、銀行、証券会社、保険会社などの金融機関において、本店や支店で成約者に渡されるサービス品等の包装容器として本収納用品１が使用可能である。
【００５４】
このような使用態様においては、収納用品１の表面側となる第二表面３ｂ全体に金融機関のシンボルデザインやロゴマークが印刷表示されるとともに、第二区画部７の第一表面３ａに、金融機関名や特定の金融商品の販促情報等が印刷表示される。
【００５５】
（４）旅行会社、交通機関、宿泊施設:
例えば、旅行会社、鉄道・航空会社等の交通機関、ホテル・旅館等の宿泊施設において、販売窓口で各種乗車券や入場券等のキップ類の購入者に渡されるキップ類の包装容器、あるいは宿泊客に渡される部屋のカードキー等を入れる包装容器として本収納用品１が使用可能である。
【００５６】
このような使用態様においては、収納用品１の表面側となる第二表面３ｂ全体に、リゾート地の絵柄や写真が印刷表示されるとともに、第二区画部７の第一表面３ａに、観光マップ、あるいは旅行会社、交通機関、宿泊施設等で使える割引チケットやクーポン等が印刷表示される。
【００５７】
（５）その他の各種商品:
例えば、絵葉書、観光マップ等の各種商品を入れる包装容器として本収納用品１が使用可能である。
【００５８】
このような使用態様においては、収納用品１の表面側となる第二表面３ｂ全体に、収納ポケット部２内に収容される各種商品にちなんだデザイン等が印刷表示されるとともに、第二区画部７の第一表面３ａに、そのまま郵便物として使用可能なポストカードやダイレクトメール（ＤＭ）等が印刷表示される。
【００５９】
次に、以上のような構成を備える薄板材３による収納用品１の二通りの組立パターン１Ａおよび１Ｂの組立方法について、第二表面３ｂを表面側にする場合を例にとって説明する。なお、以下の組立方法において、具体的な手順等は一例であって、特にこれに限定されるものではない。
【００６０】
Ｉ．組立パターン１Ａ（図３）：
（ｉ）薄板材３を、あらかじめ各境界線Ｌ56、Ｌ67、Ｌ510、Ｌ511、Ｌ621、Ｌ622に沿って組立方向である第一表面３ａ側へ折り曲げて、折りぐせをつけ、第一表面３ａを上側して置く（図３（ａ））。
【００６１】
（ii）基準区画部６に対して、第一区画部５を、基準区画部６との境界線Ｌ56に沿って第一表面３ａ側へ折り曲げる（図３（ｂ））。このとき、基準区画部６の左右一対の補助片２１、２２は、第一区画部５の内側に折り込まれる形となる。
【００６２】
（iii）薄板材３を裏返した後、第一区画部５の組立用片１０、１１を、上記基準区画部６の第二表面３ｂ側へ折り曲げる（図３（ｃ））。
【００６３】
（iv）組立用片１０、１１を、基準区画部６の係止切込み１５、１６に対して第二表面３ｂ側からそれぞれ挿入し係止させて、収納ポケット部２を形成する（図３（ｄ）→図３（ｅ））。
【００６４】
つまり、この収納ポケット部２の形成時において、上記組立用片１０、１１と基準区画部６の補助片２１、２２が協働して、上記収納ポケット部２の左右両側を閉塞するとともに（閉塞部としての機能）、この部位を補強する（補強機能）。
【００６５】
（ｖ）薄板材３を再び裏返せば、収納ポケット部２を基本構造として備える収納用品１が完成する（図３（ｆ）→図３（ｇ）、図１（ａ））。
【００６６】
II.組立パターン１Ｂ(図４)：
（ｉ）薄板材３を、あらかじめ各境界線Ｌ56、Ｌ67、Ｌ510、Ｌ511、Ｌ621、Ｌ622に沿って組立方向である第一表面３ａ側へ折り曲げて、折りぐせをつけ、第一表面３ａを上側して置き、基準区画部６の上に密封状に収納すべき収納品Ｓ0を載置する（図４（ａ））。
【００６７】
（ii）収納品Ｓ0が載置された基準区画部６に対して、第二区画部７を、基準区画部６との境界線Ｌ67に沿って第一表面３ａ側へ折り曲げる（図４（ｂ））。このとき、基準区画部６の左右一対の補助片２１、２２は、第二区画部７の内側に折り込まれる形となり、これにより、これら両区画部６、７に挟まれる空間に、上記収納品Ｓ0が収納される補助的収納部２５が形成される。
【００６８】
（iii）さらに、第一区画部５を、基準区画部６との境界線Ｌ56に沿って第一表面３ａ側へ折り曲げる（図４（ｃ））。
【００６９】
（iv）薄板材３を裏返した後、第一区画部５の組立用片１０、１１を、上記基準区画部６の第二表面３ｂ側へ折り曲げ、さらに基準区画部６の係止切込み１５、１６に対して第二表面３ｂ側からそれぞれ挿入し係止させて、上記補助的収納部２５と収納ポケット部２を同時に形成する（図４（ｄ）→図４（ｅ））。このとき、上記補助的収納部２５は、全周が閉塞された状態となる。
【００７０】
（ｖ）薄板材３を裏返せば、収納ポケット部２を基本構造として備える収納用品１が完成する（図４（ｆ）、図１（ｂ））。
【００７１】
しかして、以上のように構成された多目的収納用品１は、上述した二通りの組立パターン１Ａおよび１Ｂ、ならびに第一表面３ａおよび第二表面３ｂのいずれかを表面側とするリバーシブルな使用が可能な構成により、合計４種類の使用パターンが可能である。
【００７２】
そして、この収納用品１が、例えば、各種ノベルティ等の販促品の包装容器や各種乗車券や入場券等のキップ入れなどに商業的に使用される場合、一次的使用として、商業的デザインの収納用品１が商業的に包装容器として使用されるとともに（図示の実施形態においては第二表面３ｂを表面側としての使用）、消費者等の末端ユーザに渡った後は、二次的使用として、末端ユーザの好みにより、商業的デザインのままの収納用品（図示の実施形態においては第二表面３ｂを表面側としての使用）として、または一般的な色彩やデザインの収納用品（図示の実施形態においては第一表面３ａを表面側としての使用）として使用される。
【００７３】
以上のように、本実施形態の多目的収納用品１によれば、収納ポケット部２を基本構造として備えるものであって、印刷処理が可能な表裏面３ａ、３ｂを有するとともに、これら表裏両面３ａ、３ｂ側への折曲組立が可能な単一の薄板材３からなり、この薄板材３は、同一方向に連続して形成された少なくとも３つの矩形の単位区画部５、６、７を備え、これら単位区画部５、６、７の一つ（第一区画部）５に、左右一対の組立用片１０、１１が設けられるとともに、隣接する他の単位区画部５、６、７の一つ（基準区画部）６に、上記組立用片１０、１１を挿入係止する一対の係止切込み１５、１６が設けられてなり、上記組立用片１０、１１を有する第一区画部５と上記係止切込み１５、１６を有する基準区画部６との境界線Ｌ56に沿って折り曲げられるとともに、上記組立用片１０、１１が上記係止切込み１５、１６に挿入係止されることにより、上記収納ポケット部２が形成される。これにより、以下に列挙するような特有の優れた効果が有効に発揮される結果、各種ノベルティ等の販促品の包装容器や各種乗車券や入場券等のキップ入れとしてはもちろんのこと、ホテル等のカードキー入れ、あるいは絵葉書や観光マップ等の薄物商品の包装容器などとしても広く使用可能で、しかも本来の特定用途の包装容器としての使用が終了した後も、好みに応じた収納容器として継続使用可能な汎用性に富む多目的収納用品を提供することができる。
【００７４】
（ａ）印刷処理が可能な表裏面３ａ、３ｂを有するとともに、これら表裏両面３ａ、３ｂ側への折曲組立が可能な単一の薄板材３からなる収納用品１であるから、リバーシブルな二通りの使用パターンが可能であり（両面兼用）、例えば、次のような商業的使用（一次的使用）の後に個人的・私的な使用（二次的使用）という二段階の使用が可能となる。
【００７５】
すなわち、一例として、本収納用品１が各種ノベルティ等の販促品の包装容器や各種乗車券や入場券等のキップ入れなどに商業的に使用される場合、上記表裏面の一方に、企業名や商品のブランド名が入った商業的デザインが印刷されるとともに、他方に一般的な色彩やデザインが印刷されていることにより、当初は、商業的デザインの収納用品を商業的に包装容器として使用される（一次的使用）一方、消費者等の末端ユーザに渡った後は末端ユーザの好みにより、商業的デザインのままの収納用品として、または一般的な色彩やデザインの収納用品として使用される（二次的使用）ことが可能である。これにより、商業的使用の後に廃棄されるのが一般であった従来の収納用品に比較して、商業的使用の役目を終えた後も、個人的・私的な二次的な使用が可能である。
【００７６】
（ｂ）上記薄板材３は、同一方向に連続して形成された少なくとも３つの矩形の単位区画部５、６、７を備え、折曲組立した組立完成品の状態では、収納ポケット部２を基本構造として備える収納用品１であるから、封筒等と同様な矩形の収納用品として用途が特定ないし限定されることはなく、例えば、上述したように各種ノベルティ等の販促品の包装容器や各種乗車券や入場券等のキップ入れなどとして広く多種多様な用途に使用でき、汎用性に富む。
【００７７】
（ｃ）薄板材３の形状寸法を設定調整することにより、組立完成品である収納用品１の形状寸法は用途・目的に応じて任意に設定可能であり、例えば、いわゆる名刺サイズ程度の小さな収納用品１から、日本工業規格Ｂ列４版サイズ程度の大きな収納用品１まで、また、上下・左右のサイズも任意に設定された収納用品１も提供可能である。
【００７８】
（ｄ）上記薄板材３は、同一方向に連続して形成された３つの矩形の単位区画部５、６、７のうち、例えば、中央に位置する単位区画部である基準区画部６と、この基準区画部６に隣接する一方の第一区画部５とにより、基本構造としての収納ポケット部２が形成されて、この収納ポケット部２に、各種ノベルティ等の販促品、各種乗車券や入場券等のキップ類、あるいはホテル等のカードキーなどを入れる一方、上記基準区画部６に隣接する残りの第二区画部７は、上記収納ポケット部２の開閉可能な蓋体として、または、上記基準区画部６に対して破断分離可能な接続構造とされることにより、上記第二区画部７を、ポストカード、チケット付きの販促チラシあるいは観光マップなどとして使用可能で、その用途は多種多様であり、汎用性に富む。
【００７９】
実施形態２
本実施形態は図５および図６に示されており、実施形態１における多目的収納用品１の構造が若干改変されたものである。
【００８０】
すなわち、本実施形態の収納用品１０１においては、薄板材１０３が、同一方向に連続して形成された４つの矩形の単位区画部５、６、７、８を備える。つまり、実施形態１の基準区画部６に隣接する他方の第二区画部７に隣接して第三区画部８が連続して追加形成されている。
【００８１】
この第三区画部８は、上記第二区画部７との境界線Ｌ78にミシン目３０が設けられて、第二区画部７に対して破断分離可能な接続構造とされている。
【００８２】
しかして、本実施形態の収納用品１０１においては、第二区画部７が収納ポケット部２の開閉可能な蓋体として機能するとともに、この第二区画部７に破断分離可能に付加された第三区画部８は、第二区画部７（実施形態１参照）と同様に、ポストカード、チケット付きの販促チラシあるいは観光マップなどとして使用可能で、その用途がさらに多種多様な構成となって、より汎用性に富む。
その他の構成および作用は実施形態１と同様である。
【００８３】
なお、上述した実施形態１および２はあくまでも本発明の好適な実施態様を示すものであって、本発明はこれに限定されることなく、その範囲内で種々の設計変更が可能である。
【００８４】
例えば、薄板材３、１０３の具体的構成は、図示の実施形態に限定されず、同様な機能を有する他の構成も採用可能である。一例として、組立用片１０、１１の具体的形状は、同一作用効果を有する他の形状に改変することができる。
【００８５】
また、薄板材３、１０３の第一区画部５における収納ポケット部２の開口縁部５ａが開口凹部の形態とされているが、このような開口凹部の形態とされず、図２に仮想線で示されるような直線状に形成されても良い。
【００８６】
さらに、薄板材３、１０３を構成する単位区画部５、６、７、８の配設数は、用途・目的に応じてさらに追加増設することも可能である。
【符号の説明】
【００８７】
１                        多目的収納用品
１Ａ                      多目的収納用品の組立パターン
１Ｂ                      多目的収納用品の組立パターン
２                        収納ポケット部
３                        薄板材
３ａ                    薄板材の表面（第一表面）
３ｂ                    薄板材の裏面（第二表面）
５                      単位区画部（第一区画部）
５ａ                    開口縁部（開口凹部）
６                      単位区画部（基準区画部）
７                      単位区画部（第二区画部）
８                      単位区画部（第三区画部）
１０、１１              組立用片
１０ａ、１１ａ          組立用片の基端部
１５、１６              係止切込み
１７、１８              組立用片の挿入係止部
１９、２０              組立用片の基端側部分
２１、２２              補助片
２５                    補助的収納部
３０                      ミシン目
１０１                    収納用品
１０３                    薄板材
Ｓ、Ｓ0                 収納品
【図１】
2015074476.tif 000003
【図２】
2015074476.tif 000004
【図３】
2015074476.tif 000005
【図４】
2015074476.tif 000006
【図５】
2015074476.tif 000007
【図６】
2015074476.tif 000008